(57)【要約】【課題】静粛性をより高めることができる空気調和機を提供すること。【解決手段】空気調和機は、室内ファンを制御する制御部を備える。制御部は、室内温度と目標温度との温度差に基づく室内ファンの風量を第１風量パターンで制御する第１風量自動モードと、室内温度と目標温度との温度差に基づく室内ファンの風量を、第１風量パターンよりも低風量の第２風量パターンで制御する第２風量自動モードと、室内温度と目標温度との温度差に基づく室内ファンの風量を所定値以下とする第３風量自動モードと、を備え、通常運転時に第１風量自動モードを実行し、おやすみ運転開始から一定期間に第３風量自動モードを実行し、おやすみ運転開始から一定期間経過後に第２風量自動モードを実行する。【選択図】図１０
2019105413.tif 000002
【特許請求の範囲】
【請求項１】
室内ファン（２２）を制御する制御部（５０）を備える空気調和機（１）であって、
前記制御部（５０）は、室内温度（ＤＡ）と目標温度（ＤＧ）との温度差（Δｔ）に基づく前記室内ファン（２２）の風量を第１風量パターンで制御する第１風量自動モードと、前記室内温度（ＤＡ）と前記目標温度（ＤＧ）との温度差（Δｔ）に基づく前記室内ファン（２２）の風量を前記第１風量パターンよりも低風量の第２風量パターンで制御する第２風量自動モードと、前記室内温度（ＤＡ）と前記目標温度（ＤＧ）との温度差（Δｔ）に基づく前記室内ファン（２２）の風量を所定値以下とする第３風量自動モードと、を備え、通常運転時に前記第１風量自動モードを実行し、おやすみ運転開始から一定期間に前記第３風量自動モードを実行し、前記おやすみ運転開始から前記一定期間経過後に前記第２風量自動モードを実行する
空気調和機。
【請求項２】
前記第３風量自動モードは、前記第２風量自動モードにおける前記室内温度（ＤＡ）と前記目標温度（ＤＧ）との差に基づく風量に対して上限値を設定したものである
請求項１に記載の空気調和機。
【請求項３】
前記第３風量自動モードは、前記室内温度（ＤＡ）と前記目標温度（ＤＧ）とに基づく前記室内ファン（２２）の風量を、前記第２風量パターンよりも低風量の風量パターンで制御するものである
請求項１に記載の空気調和機。
【請求項４】
前記制御部（５０）は、前記第３風量自動モードから前記第２風量自動モードに変更する場合に、前記所定値を２段階以上の段階で増大させる
請求項１〜３のいずれか一項に記載の空気調和機。
【発明の詳細な説明】
【技術分野】
【０００１】
本発明は、空気調和機に関する。
【背景技術】
【０００２】
ユーザの就寝時において室内ファンの送風音を低減するおやすみ運転を実行可能な空気調和機が知られている。例えば特許文献１の空気調和機は、通常運転時における室内温度と目標温度との温度差に基づく第１風量パターンと、おやすみ運転時における室内温度と目標温度との温度差に基づく第２風量パターンとを有する。この空気調和機は、第２風量パターンを、第１風量パターンよりも低風量とすることにより、室内ファンの送風音を低減している。
【先行技術文献】
【特許文献】
【０００３】
【特許文献１】特開２０１６−９００９７号公報
【発明の概要】
【発明が解決しようとする課題】
【０００４】
ところで、空気調和機には、ユーザの就寝時においてより高い静粛性が要求される場合がある。
本発明の目的は、静粛性をより高めることができる空気調和機を提供することである。
【課題を解決するための手段】
【０００５】
この課題を解決する空気調和機は、室内ファンを制御する制御部を備える空気調和機であって、前記制御部は、室内温度と目標温度との温度差に基づく前記室内ファンの風量を第１風量パターンで制御する第１風量自動モードと、前記室内温度と前記目標温度との温度差に基づく前記室内ファンの風量を前記第１風量パターンよりも低風量の第２風量パターンで制御する第２風量自動モードと、前記室内温度と前記目標温度との温度差に基づく前記室内ファンの風量を所定値以下とする第３風量自動モードと、を備え、通常運転時に前記第１風量自動モードを実行し、おやすみ運転開始から一定期間に前記第３風量自動モードを実行し、前記おやすみ運転開始から前記一定期間経過後に前記第２風量自動モードを実行する。
【０００６】
ここで、「通常運転」とは、通常冷房運転と通常暖房運転とを総称する概念である。また、「おやすみ運転」とは、おやすみ冷房運転とおやすみ暖房運転とを総称する概念である。
【０００７】
この構成によれば、おやすみ運転開始から一定期間は、室内ファンの風量を所定値以下とする第３風量自動モードで運転されるため、第２風量自動モードにおける室内ファンの送風音に比べ、室内ファンの送風音が低減される。したがって、空気調和機の静粛性をより高めることができる。
【０００８】
上記空気調和機において、前記第３風量自動モードは、前記第２風量自動モードにおける前記室内温度と前記目標温度との差に基づく風量に対して上限値を設定したものであることが好ましい。
【０００９】
この構成によれば、第３風量自動モードを構成するソフトウェアは第２風量自動モードを構成するソフトウェアにおいて一定期間にわたり室内ファンの風量に対して上限値を設定するものでよい。すなわち第２風量自動モードを構成するソフトウェアに対して付加的なソフトウェアを加えることにより構成できるため、空気調和機のコストを低減できる。
【００１０】
上記空気調和機において、前記第３風量自動モードは、前記室内温度と前記目標温度とに基づく前記室内ファンの風量を、前記第２風量パターンよりも低風量の風量パターンで制御するものとしてもよい。
【００１１】
この構成によれば、第２風量自動モードによる運転開始から一定期間は、室内ファンの送風音の低減に特化した運転となるため、空気調和機の静粛性を好適に高めることができる。
【００１２】
上記空気調和機において、前記制御部は、前記第３風量自動モードから前記第２風量自動モードに変更する場合に前記所定値を２段階以上の段階で増大させることが好ましい。
この構成によれば、例えばユーザの就寝時に、まず室内ファンの送風音を低減することによりユーザの入眠の妨げになることを抑制した後に、室内温度を目標温度に近づけることにより快適性を向上させることができる。
【発明の効果】
【００１３】
本発明の空気調和機は、静粛性をより高めることができる。
【図面の簡単な説明】
【００１４】
【図１】第１実施形態の空気調和機の室内機及び室外機の冷媒回路を示す回路図。
【図２】同空気調和機の電気的な構成を示すブロック図。
【図３】同空気調和機の通常冷房運転時及びおやすみ冷房運転時の風量自動モードのゾーン制御を説明するための図。
【図４】同空気調和機の通常冷房運転時の第１風量自動モードに使用される第１風量パターンを示す表。
【図５】同空気調和機のおやすみ冷房運転時の第２風量自動モードに使用される第２風量パターンを示す表。
【図６】同空気調和機の通常暖房運転時及びおやすみ暖房運転時の風量自動モードのゾーン制御を説明するための図。
【図７】同空気調和機の通常暖房運転時の第１風量自動モードに使用される第１風量パターンを示す表。
【図８】同空気調和機のおやすみ暖房運転時の第２風量自動モードに使用される第２風量パターンを示す表。
【図９】同空気調和機の第３風量自動モードの内容を示す風量制限の説明表。
【図１０】同実施形態の作用を説明するための図であり、（ａ）は第３風量自動モードを有していない比較例のおやすみ運転開始後の出現し得るタップの上限値を示すタイムチャート、（ｂ）は第３風量自動モードを有する本実施形態のおやすみ運転開始後の出現し得るタップの上限値を示すタイムチャート。
【図１１】第２実施形態の空気調和機のおやすみ冷房運転時の第３風量自動モードにおける第１期間に使用される第３風量パターンを示す表。
【図１２】同空気調和機のおやすみ冷房運転時の第３風量自動モードにおける第２期間に使用される第４風量パターンを示す表。
【図１３】同空気調和機のおやすみ暖房運転時の第３風量自動モードにおける第１期間に使用される第３風量パターンを示す表。
【図１４】同空気調和機のおやすみ暖房運転時の第３風量自動モードにおける第２期間に使用される第４風量パターンを示す表。
【発明を実施するための形態】
【００１５】
（第１実施形態）
空気調和機の一実施形態について、図面を参照しつつ説明する。
図１に示すように、空気調和機１は、屋外に設置される室外機１０と、屋内の壁面等に取り付けられる壁掛け型の室内機２０とが冷媒配管３０によって接続されることにより形成された冷媒回路４０を備える。
【００１６】
室外機１０は、運転周波数の変更により容量可変とした圧縮機１１、四路切換弁１２、室外熱交換器１３、膨張弁１４、室外ファン１５、室外熱交換器１３の温度を検出する室外熱交換器温度センサ１６、外気温度を検出する外気温度センサ１７、室外制御装置１８等を備える。
【００１７】
圧縮機１１は、例えば揺動ピストン型の圧縮機であり、圧縮機構、モータ、モータの駆動力を圧縮機構に伝達するクランク軸等を備える。モータの一例は、３相ブラシレスモータである。室外熱交換器１３は、外気と冷媒とを熱交換するものであり、例えばフィンアンドチューブ熱交換器を用いることができる。膨張弁１４は、例えば電子膨張弁である。室外ファン１５は、駆動源として回転数を変更可能なモータと、モータの出力軸に接続された羽根車とを有する。羽根車の一例はプロペラファンである。室外ファン１５は、モータによって羽根車を回転させることにより室外熱交換器１３を通過する室外空気の気流を発生させる。室外制御装置１８は、圧縮機１１のモータ、四路切換弁１２、膨張弁１４、室外ファン１５のモータ、室外熱交換器温度センサ１６、及び外気温度センサ１７と電気的に接続されている。詳述すると、室外熱交換器温度センサ１６により検出された室外熱交換器温度ｔＥＯ及び外気温度センサ１７により検出された外気温度ＤＯＡが室外制御装置１８に入力される。室外制御装置１８は、圧縮機１１のモータ、四路切換弁１２、膨張弁１４、及び室外ファン１５のモータに制御信号を出力する。
【００１８】
室内機２０は、室内熱交換器２１、室内ファン２２、室内熱交換器２１の温度を検出する室内熱交換器温度センサ２３、室内温度を検出する室内温度センサ２４、表示部２５（図２参照）、室内制御装置２６等を備える。
【００１９】
室内熱交換器２１は、室内空気と冷媒とを熱交換するものであり、例えばフィンアンドチューブ熱交換器を用いることができる。室内ファン２２は、駆動源として回転数を変更可能なモータと、モータの出力軸に接続された羽根車とを有する。羽根車の一例は、横流ファンである。室内ファン２２は、室内熱交換器２１の伝熱管を流れる冷媒と室内空気との熱交換を促進するため、モータによって羽根車を回転させることにより室内熱交換器２１を通過する室内空気の気流を発生させる。表示部２５は、少なくとも空気調和機１の運転状態を表示する発光ダイオード（ＬＥＤ）を含む。室内制御装置２６は、室内ファン２２、室内熱交換器温度センサ２３、室内温度センサ２４、及び表示部２５と電気的に接続されている。詳述すると、室内熱交換器温度センサ２３により検出された室内熱交換器温度ｔＥ及び室内温度センサ２４により検出された室内温度ＤＡが室内制御装置２６に入力される。室内制御装置２６は、室内ファン２２のモータ及び表示部２５に制御信号を出力する。
【００２０】
冷媒回路４０は、圧縮機１１、四路切換弁１２、室外熱交換器１３、及び膨張弁１４と、室内熱交換器２１と、アキュムレータ１１ａとを冷媒配管３０によって環状に接続したものであって、四路切換弁１２を切り換えることにより、冷媒を可逆的に循環させるようにした蒸気圧縮式冷凍サイクルを実行することができる。
【００２１】
すなわち、四路切換弁１２が冷房モード接続状態（図示実線の状態）に切り換えられることにより、冷媒回路４０は、圧縮機１１、四路切換弁１２、室外熱交換器１３、膨張弁１４、室内熱交換器２１、四路切換弁１２、アキュムレータ１１ａ、及び圧縮機１１の順に冷媒が循環する冷房サイクルが形成される。これにより、空気調和機１では、室外熱交換器１３が凝縮器として作用し、室内熱交換器２１が蒸発器として作用する冷房運転が行われる。また、四路切換弁１２が暖房モード接続状態（図示破線の状態）に切り換えられることにより、冷媒回路４０は、アキュムレータ１１ａ、圧縮機１１、四路切換弁１２、室内熱交換器２１、膨張弁１４、室外熱交換器１３、四路切換弁１２、及び圧縮機１１の順に冷媒が循環する暖房サイクルが形成される。これにより、空気調和機１では、室内熱交換器２１が凝縮器として作用し、室外熱交換器１３が蒸発器として作用する暖房運転が行われる。
【００２２】
図２に示すように、空気調和機１を制御する制御部５０は、室外制御装置１８及び室内制御装置２６を含んで構成されている。室外制御装置１８及び室内制御装置２６のそれぞれは、予め定められる制御プログラムを実行する演算処理装置、及び制御プログラムや各種の制御処理に用いられる情報等が記憶される記憶部を含む。演算処理装置は、例えばＣＰＵ（Central Processing Unit）又はＭＰＵ（Micro Processing Unit）を含む。記憶部は、例えば不揮発性メモリ及び揮発性メモリを含む。
【００２３】
制御部５０（室内制御装置２６）には、リモートコントローラ５１が通信可能に接続されている。室内制御装置２６は、リモートコントローラ５１と例えば赤外線等により無線通信が可能なように構成されている。リモートコントローラ５１は、空気調和機１の運転指示及び運転停止指示の信号を室内制御装置２６に出力する。空気調和機１の運転態様としては、通常冷房運転、通常暖房運転、おやすみ冷房運転、おやすみ暖房運転等が挙げられる。
【００２４】
なお、本明細書において、「おやすみ運転時」というときは、おやすみ冷房運転と、おやすみ暖房運転とを区別せずに総称する場合をいう。
また、本明細書において、「おやすみ冷房運転開始時」というときは、おやすみ冷房運転開始から一定期間の運転をいい、「おやすみ暖房運転開始時」というときは、おやすみ暖房運転開始から一定期間の運転をいう。また、本明細書において、「おやすみ運転開始時」というときは、おやすみ冷房運転開始から一定期間のおやすみ冷房運転と、おやすみ暖房運転開始から一定期間のおやすみ暖房運転とを区別せずに総称する場合をいう。
【００２５】
室外制御装置１８と室内制御装置２６は、互いに電気的に接続されている。このため、室内制御装置２６は、リモートコントローラ５１から受信した運転指示、室内温度ＤＡ、及び室内熱交換器温度ｔＥが入力されるとともに室外制御装置１８に出力する。室外制御装置１８は、外気温度ＤＯＡ及び室外熱交換器温度ｔＥＯが入力されるとともに室内制御装置２６に出力する。
【００２６】
制御部５０は、室内ファン２２の吹出風量を自動制御するモードとして、通常冷房運転時及び通常暖房運転時に運転する第１風量自動モードと、おやすみ冷房運転開始から一定期間経過後及びおやすみ暖房運転開始から一定期間経過後に運転する第２風量自動モードと、おやすみ冷房運転開始時及びおやすみ暖房運転開始時に運転する第３風量自動モードとを有する。
【００２７】
第１風量自動モードは、室内温度ＤＡと目標温度ＤＧとの温度差Δｔ（Δｔ＝ＤＡ−ＤＧ）に基づく室内ファン２２の吹出風量を第１風量パターンで制御するものである。そして、第１風量パターンは、通常冷房運転時と通常暖房運転時とでは異なるパターンに形成されている。したがって、第１風量自動モードは、通常冷房運転時に運転されるものと通常暖房運転時に運転されるものとではこの点で相違する。
【００２８】
同様に、第２風量自動モードは、室内温度ＤＡと目標温度ＤＧとの温度差Δｔに基づく室内ファン２２の吹出風量を第２風量パターンで制御するものである。そして、第２風量パターンは、おやすみ冷房運転時とおやすみ暖房運転時とでは異なるパターンに形成されている。おやすみ冷房運転時に運転される第２風量パターンは、通常冷房運転時に運転される第１風量パターンよりも低風量のパターンに形成されている。また、おやすみ暖房運転時に運転される第２風量パターンは、通常暖房運転時に運転される第１風量パターンよりも低風量のパターンに形成されている。
【００２９】
第３風量自動モードは、おやすみ運転開始時に、室内温度ＤＡと目標温度ＤＧとの温度差Δｔに基づく室内ファン２２の吹出風量を所定値以下とするものである。なお、所定値は、第２風量パターンにおける最大風量よりも小さい。
【００３０】
（通常冷房運転時及びおやすみ冷房運転開始から一定期間経過後の風量自動モード）
以下、それぞれの風量自動モードについて説明する。まず通常冷房運転時の第１風量自動モード及びおやすみ冷房運転開始から一定期間経過後の第２風量自動モードについて説明する。
【００３１】
図３は、通常冷房運転時の第１風量自動モード、おやすみ冷房運転開始から一定期間経過後の第２風量自動モード、及びおやすみ冷房運転開始時の第３風量自動モードのゾーン制御を説明するための図である。
【００３２】
図３に示すＡ〜Ｊは、通常冷房運転時（第１風量自動モード）、おやすみ冷房運転開始から一定期間経過後（第２風量自動モード）、及びおやすみ冷房運転開始時（第３風量自動モード）における室内温度ＤＡと目標温度ＤＧとの温度差Δｔ（Δｔ＝ＤＡ−ＤＧ）に基づいて表１及び表２のとおり設定された温度差ゾーンを示す。表１は、温度差Δｔが下降時のものであり、表２は温度差Δｔが上昇時のものである。
【００３３】
【表１】
2019105413.tif 000003
【００３４】
【表２】
2019105413.tif 000004
また図４は、空気調和機１の通常冷房運転時の第１風量自動モードに使用される第１風量パターンを示すものであって、温度差ゾーンＡ〜Ｊごとにタップ（室内ファン２２の回転数）が設定されている。タップ（室内ファン２２の回転数）を設定することは、室内ファン２２の吹出風量を設定することと同義である。
【００３５】
図５は、空気調和機１のおやすみ冷房運転開始から一定期間経過後の第２風量自動モードに使用される第２風量パターンを示すものであって、温度差ゾーンＡ〜Ｊごとにタップ（室内ファン２２の回転数）が設定されている。
【００３６】
ここで、空気調和機１には、室内ファン２２の吹出風量が次のような相関関係に設定される５つのタップ、すなわちＭＨタップ、Ｍタップ、ＭＬタップ、Ｌタップ、及びＳタップの５つのタップが設けられている。
【００３７】
ＭＨタップの吹出風量  ＞  Ｍタップの吹出風量  ＞  ＭＬタップの吹出風量  ＞  Ｌタップの吹出風量  ＞  Ｓタップの吹出風量
図４に示すように、通常冷房運転時の第１風量パターンは、温度差Δｔの下降時において、ＭＨタップ、Ｍタップ、ＭＬタップ、Ｌタップの順に室内ファン２２の吹出風量が少なくなる。一方、通常冷房運転時の第１風量パターンは、温度差Δｔの上昇時において、Ｌタップ、ＭＬタップ、Ｍタップ、ＭＨタップの順に室内ファン２２の吹出風量が多くなる。詳述すると、通常冷房運転時の第１風量パターンは、温度差Δｔの下降時において、温度差ゾーンＪではＭＨタップになり、温度差ゾーンＩ，ＨではＭタップになり、温度差ゾーンＧ，ＦではＭＬタップになり、温度差ゾーンＥ，Ｄ，Ｃ，Ｂ，ＡではＬタップになり、温度差ゾーンＡではサーモオフ状態が優先される。また、通常冷房運転時の第１風量パターンは、温度差Δｔの上昇時において、温度差ゾーンＪではＭＨタップになり、温度差ゾーンＩではＭタップになり、温度差ゾーンＨ，ＧではＭＬタップになり、温度差ゾーンＦ，Ｅ，Ｄ，Ｃ，Ｂ，ＡではＬタップになり、温度差ゾーンＡではサーモオフ状態が優先される。
【００３８】
図５に示すように、おやすみ冷房運転開始から一定期間経過後の第２風量パターンは、温度差Δｔの下降時において、Ｍタップ、ＭＬタップ、Ｌタップ、Ｓタップの順に室内ファン２２の吹出風量が少なくなる。一方、おやすみ冷房運転開始から一定期間経過後の第２風量パターンは、温度差Δｔの上昇時において、Ｓタップ、Ｌタップ、ＭＬタップ、Ｍタップの順に室内ファン２２の吹出風量が多くなる。詳述すると、おやすみ冷房運転開始から一定期間経過後の第２風量パターンは、温度差Δｔの下降時において、温度差ゾーンＪ，Ｉ，ＨではＭタップになり、温度差ゾーンＧ，ＦではＭＬタップになり、温度差ゾーンＥ，ＤではＬタップになり、温度差ゾーンＣ，Ｂ，ＡではＳタップになり、温度差ゾーンＡではサーモオフ状態が優先される。おやすみ冷房運転開始から一定期間経過後の第２風量パターンは、温度差Δｔの上昇時において、温度差ゾーンＪ，ＩではＭタップになり、温度差ゾーンＨ，ＧではＭＬタップになり、温度差ゾーンＦ，ＥではＬタップになり、温度差ゾーンＤ，Ｃ，Ｂ，ＡではＳタップになり、温度差ゾーンＡではサーモオフ状態が優先される。このように、おやすみ冷房運転開始から一定期間経過後の第２風量パターンにおける室内ファン２２の吹出風量は、通常冷房運転時の第１風量パターンにおける室内ファン２２の吹出風量よりも低風量となるパターンを含む。
【００３９】
制御部５０は、リモートコントローラ５１によって通常冷房運転時の風量自動が選択された場合、通常冷房運転時の第１風量自動モードに設定する。すなわち制御部５０は、通常冷房運転時に第１風量自動モードを実行する。制御部５０は、通常冷房運転時の第１風量自動モードにおいて、図４に示す第１風量自動パターンを用いて、室内温度ＤＡと目標温度ＤＧとの温度差Δｔ（Δｔ＝ＤＡ−ＤＧ）に基づいて室内ファン２２の吹出風量を制御する。一方、制御部５０は、リモートコントローラ５１によっておやすみ冷房運転が選択された場合、おやすみ冷房運転開始から一定期間経過した後に第２風量自動モードに設定する。すなわち制御部５０は、おやすみ冷房運転開始から一定期間経過後に第２風量自動モードを実行する。制御部５０は、おやすみ冷房運転開始から一定期間経過後の第２風量自動モードにおいて、図５に示す第２風量自動パターンを用いて、室内温度ＤＡと目標温度ＤＧとの温度差Δｔ（Δｔ＝ＤＡ−ＤＧ）に基づいて室内ファン２２の吹出風量を制御する。
【００４０】
（通常暖房運転時及びおやすみ暖房運転開始から一定期間経過後の風量自動モード）
次に、通常暖房運転時及びおやすみ暖房運転開始から一定期間経過後の風量自動モードについて説明する。
【００４１】
図６は、通常暖房運転時の第１風量自動モード、おやすみ暖房運転開始から一定期間経過後の第２風量自動モード、及びおやすみ暖房運転開始時の第３風量自動モードのゾーン制御を説明するための図である。
【００４２】
図６に示すＩ〜ＶＩＩは、通常暖房運転時（第１風量自動モード）、おやすみ暖房運転開始から一定期間経過後（第２風量自動モード）、及びおやすみ暖房運転開始時（第３風量自動モード）において、室内熱交換器温度ｔＥに基づいて表３及び表４のとおり設定された室内熱交換器温度ゾーンを示す。表３は、室内熱交換器温度ｔＥの上昇時のものであり、表４は、室内熱交換器温度ｔＥの下降時のものである。
【００４３】
【表３】
2019105413.tif 000005
【００４４】
【表４】
2019105413.tif 000006
また、通常暖房運転時、おやすみ暖房運転開始から一定期間経過後、及びおやすみ暖房運転開始時における室内温度ＤＡと目標温度ＤＧとの温度差Δｔ（Δｔ＝ＤＡ−ＤＧ）の下降時と上昇時において、温度差Δｔに応じた温度差ゾーンＡ〜Ｌが以下の表５及び表６のとおり設定されている。
【００４５】
【表５】
2019105413.tif 000007
【００４６】
【表６】
2019105413.tif 000008
図７は空気調和機１の通常暖房運転時の第１風量自動モードに使用される第１風量パターンを示すものであって、温度差ゾーンＡ〜Ｌごと、かつ、室内熱交換器温度ゾーンＩ〜ＶＩＩごとにタップが設定されている。空気調和機１では、通常暖房運転時の第１風量自動モードのゾーン制御における温度差ゾーンＡ〜Ｌごと、かつ、室内熱交換器温度ゾーンＩ〜ＶＩＩごとに、ＭＨタップ、Ｍタップ、ＭＬタップ、Ｌタップ、及びＬＬタップのいずれかのタップが設けられている。
【００４７】
図８は空気調和機１のおやすみ暖房運転開始から一定期間経過後の第２風量自動モードに使用される第２風量パターンを示すものであって、温度差ゾーンＡ〜Ｌごと、かつ、室内熱交換器温度ゾーンＩ〜ＶＩＩごとにタップが設定されている。空気調和機１では、おやすみ暖房運転開始から一定期間経過後の第２風量自動モードのゾーン制御における温度差ゾーンＡ〜Ｌごと、かつ室内熱交換器温度ゾーンＩ〜ＶＩＩごとに、Ｍタップ、ＭＬタップ、Ｌタップ、Ｓタップ、及びＬＬタップのいずれかのタップが設けられている。
【００４８】
通常暖房運転時及びおやすみ暖房運転開始から一定期間経過後の風量自動モードに示される各タップに係る室内ファン２２の吹出風量は、次のような相関関係になる。
ＭＨタップの吹出風量  ＞  Ｍタップの吹出風量  ＞  ＭＬタップの吹出風量  ＞  Ｌタップの吹出風量  ＞  Ｓタップの吹出風量  ＞  ＬＬタップの吹出風量
図７に示すように、通常暖房運転時の第１風量自動モードに使用される第１風量パターンは、例えば、室内熱交換器温度ゾーンの中央であるゾーンＩＶにおいて、温度差Δｔの上昇時において、ＭＨタップ、Ｍタップ、ＭＬタップ、Ｌタップの順に室内ファン２２の吹出風量が少なくなる。一方、温度差Δｔの下降時において、Ｌタップ、ＭＬタップ、Ｍタップ、ＭＨタップの順に室内ファン２２の吹出風量が多くなる。詳述すると、通常暖房運転時の第１風量パターンは、温度差Δｔの上昇時及び下降時において、温度差ゾーンＬ，Ｋ，Ｊ，ＩではＭＨタップになり、温度差ゾーンＨ，ＧではＭタップになり、温度差ゾーンＦ，ＥではＭＬタップになり、温度差ゾーンＤ，Ｃ，Ｂ，ＡではＬタップになり、温度差ゾーンＡではサーモオフ状態が優先される。
【００４９】
また、図８に示すように、おやすみ暖房運転開始から一定期間経過後の第２風量自動モードに使用される第２風量パターンは、例えば、室内熱交換器温度ゾーンの中央であるゾーンＩＶにおいて、温度差Δｔの上昇時において、Ｍタップ、ＭＬタップ、Ｌタップ、Ｓタップの順に室内ファン２２の吹出風量が少なくなる。一方、温度差Δｔの下降時において、Ｓタップ、Ｌタップ、ＭＬタップ、Ｍタップの順に室内ファン２２の吹出風量が多くなる。詳述すると、おやすみ暖房運転開始から一定期間経過後の第２風量パターンは、温度差Δｔの上昇時及び下降時において、温度差ゾーンＬ，Ｋ，Ｊ，Ｉ，Ｈ，ＧではＭタップになり、温度差ゾーンＦ，ＥではＭＬタップになり、温度差ゾーンＤではＬタップになり、温度差ゾーンＣ，Ｂ，ＡではＳタップになり、温度差ゾーンＡではサーモオフ状態が優先される。このように、おやすみ暖房運転開始から一定期間経過後の第２風量パターンにおける室内ファン２２の吹出風量は、通常暖房運転時の第１風量パターンにおける室内ファン２２の吹出風量よりも低風量となるパターンを含む。
【００５０】
制御部５０は、リモートコントローラ５１によって通常暖房運転の風量自動が選択された場合、通常暖房運転時の第１風量自動モードに設定する。すなわち制御部５０は、通常暖房運転時に第１風量自動モードを実行する。制御部５０は、通常暖房運転時の第１風量自動モードにおいて、図７に示す第１風量自動パターンを用いて、室内温度ＤＡと目標温度ＤＧとの温度差Δｔ（Δｔ＝ＤＡ−ＤＧ）及び室内熱交換器温度ｔＥに基づいて室内ファン２２の吹出風量を制御する。一方、制御部５０は、リモートコントローラ５１によっておやすみ暖房運転が選択された場合、おやすみ暖房運転開始から一定期間経過した後に第２風量自動モードに設定する。すなわち制御部５０は、おやすみ暖房運転開始から一定期間経過後に第２風量自動モードを実行する。制御部５０は、おやすみ暖房運転開始から一定期間経過後の第２風量自動モードにおいて、図８に示す第２風量自動パターンを用いて、室内温度ＤＡと目標温度ＤＧとの温度差Δｔ（Δｔ＝ＤＡ−ＤＧ）及び室内熱交換器温度ｔＥに基づいて室内ファン２２の吹出風量を制御する。
【００５１】
（おやすみ冷房運転開始時及びおやすみ暖房運転開始時の第３風量自動モード）
次に、おやすみ冷房運転開始時及びおやすみ暖房運転開始時に運転される第３風量自動モードについて説明する。
【００５２】
第３風量自動モードは、おやすみ運転（おやすみ冷房運転又はおやすみ暖房運転）の運転開始から一定期間にわたっては、室内温度ＤＡと目標温度ＤＧとの温度差Δｔに基づき室内ファン２２の吹出風量を所定値以下とするものである。本実施形態における第３風量自動モードは、第２風量自動モードをベースに運転を行い、第２風量自動モードにおける室内温度ＤＡと目標温度ＤＧとの温度差Δｔ（Δｔ＝ＤＡ−ＤＧ）に基づく室内ファン２２の吹出風量に対して上限値を設定したものである。このように、制御部５０は、おやすみ運転の開始から一定期間にわたって室内ファン２２の吹出風量を所定値以下にする第３風量自動モードを有する。
【００５３】
制御部５０は、第３風量自動モードを一定期間にわたって継続した後、第２風量自動モードに変更する。そして制御部５０は、第３風量自動モードから第２風量自動モードに変更する場合、室内ファン２２の吹出風量の上限値（所定値）を２段階以上の段階で増大させる。一例では、図９及び図１０（ｂ）に示すように、制御部５０は、おやすみ運転開始ｔ０から第１基準時刻ｔ１までの第１期間Ｔ１にわたり室内ファン２２の吹出風量の上限値をＬタップに設定し、第１基準時刻ｔ１から第２基準時刻ｔ２までの第２期間Ｔ２にわたり室内ファン２２の吹出風量の上限値をＭＬタップに設定する。そして制御部５０は、第２期間Ｔ２の経過後、すなわち本実施形態にいうおやすみ運転の運転開始から一定期間経過後、室内ファン２２の吹出風量をおやすみ冷房運転時又はおやすみ暖房運転時の第２風量自動モードに移行させている。図９及び図１０（ｂ）に示す例においては、第２風量自動モードの吹出風量は、おやすみ冷房運転時の第２風量パターン（図５参照）における温度差ゾーンＪの室内ファン２２の吹出風量、及びおやすみ暖房運転時の第２風量パターン（図８参照）における温度差ゾーンＬ、かつ、室内熱交換器温度ゾーンＶＩＩの室内ファン２２の吹出風量であるＭタップに設定されている。すなわちおやすみ運転の運転開始から一定期間経過後となる第２期間Ｔ２の経過後、第３風量自動モードから第２風量自動モードに切り換わる。
【００５４】
このように、制御部５０は、リモートコントローラ５１によっておやすみ冷房運転又はおやすみ暖房運転が選択された場合、運転開始後から一定期間は、第３風量自動モードに設定する。この場合、制御部５０は、室内ファン２２の吹出風量の上限値をＬタップに設定するため、例えばおやすみ冷房運転における温度差ゾーンＪ又はおやすみ暖房運転における温度差ゾーンＬの場合では、室内ファン２２の吹出風量をＭタップよりも低風量となるＬタップに設定する。
【００５５】
なお、一定期間の内訳である第１期間Ｔ１及び第２期間Ｔ２はそれぞれ任意に設定可能である。第１期間Ｔ１の一例は３０分であり、第２期間Ｔ２の一例は３０分である。また第１期間Ｔ１及び第２期間Ｔ２は互いに異なる期間であってもよい。例えば第１期間Ｔ１が３０分であり、第２期間Ｔ２が１５分であってもよい。
【００５６】
（表示部の制御）
制御部５０は、おやすみ冷房運転又はおやすみ暖房運転中の表示部２５の輝度を、通常冷房運転又は通常暖房運転中の表示部２５の輝度よりも低くする。これにより、表示部２５の明かりがユーザの就寝の妨げになることが抑制される。なお、制御部５０は、おやすみ冷房運転開始時又はおやすみ暖房運転開始時の第３風量自動モードが実行されている期間（おやすみ冷房運転又はおやすみ暖房運転の運転開始から第２基準時刻ｔ２までの期間）における表示部２５の輝度を、第２風量自動モードが実行されている期間（第２基準時刻ｔ２以降）における表示部２５の輝度よりも低くしてもよい。これにより、表示部２５の明かりがユーザの入眠の妨げになることが抑制される。
【００５７】
次に、図１０を（ａ）及び図１０（ｂ）を参照して、本実施形態の作用及び効果について説明する。
ユーザの就寝時においてユーザが熟睡するまでの間、空気調和機１の高い静粛性が要求される。このため、図１０（ａ）の実線にて示すように、比較例の空気調和機では、第２風量自動モードにおいて、例えばおやすみ冷房運転時における温度差ゾーンＪ又はおやすみ暖房運転時における温度差ゾーンＬの場合には、Ｍタップに設定されることにより室内ファン２２の吹出風量が多くなる。その結果、室内ファン２２の送風音が大きくなってしまうという問題があった。
【００５８】
そこで、空気調和機１は、高い静粛性の確保のため、静粛性を高めた静粛冷房運転及び静粛暖房運転を行う場合がある。静粛冷房運転及び静粛暖房運転は、ユーザがリモートコントローラ５１を操作することにより選択される。これら静粛冷房運転時及び静粛暖房運転時では、図１０（ａ）の二点鎖線にて示すように、制御部５０は、静粛冷房運転及び静粛暖房運転の開始時に室内ファン２２の吹出風量をＳタップに設定する。これにより、室内ファン２２の送風音を低減している。しかし、空気調和機１の高い静粛性は実現できるものの、空気調和機１が運転しているにもかかわらず室内温度ＤＡが目標温度ＤＧから乖離した状態が続いてしまう。このため、ユーザの快適性が長期間にわたり損なわれてしまうおそれがある。
【００５９】
このような実情に鑑みて、本実施形態では、制御部５０は、おやすみ冷房運転及びおやすみ暖房運転の開始から一定期間にわたり第３風量自動モードに設定する。図１０（ｂ）に示すとおり、第３風量自動モードは、室内ファン２２の吹出風量の上限値を、第２風量自動モードよりも低風量かつ静粛冷房運転及び静粛暖房運転よりも高風量となるＬタップに設定される。したがって、空気調和機１の高い静粛性を実現できる。加えて、図１０（ｂ）に示すとおり、一定期間経過後に第３風量自動モードから第２風量自動モードに変更されるため、一定期間経過後にユーザの快適性の向上を図ることができる。
【００６０】
本実施形態によれば、以下の効果が得られる。
（１−１）制御部５０は、おやすみ冷房運転又はおやすみ暖房運転の開始から一定期間は、第３風量自動モードを実行する。この構成によれば、例えば通常冷房運転時や通常暖房運転時において第１風量自動モードが実行され、おやすみ冷房運転時やおやすみ暖房運転時において第２風量自動モードが実行される場合、おやすみ冷房運転又はおやすみ暖房運転の開始から一定期間は、室内ファン２２の吹出風量が所定値以下の第３風量自動モードで運転される。このため、第２風量自動モードにおける室内ファン２２の送風音に比べ、室内ファン２２の送風音が低減される。したがって、空気調和機１の静粛性をより高めることができる。
【００６１】
（１−２）第３風量自動モードは、第２風量自動モードにおける室内温度ＤＡと目標温度ＤＧとの温度差Δｔに基づく室内ファン２２の吹出風量に対して上限値を設定したものである。この構成によれば、第３風量自動モードを構成するソフトウェアは第２風量自動モードを構成するソフトウェアにおいて一定期間にわたり室内ファン２２の吹出風量に対して上限値を設定するものでよい。すなわち第２風量自動モードを構成するソフトウェアに対して付加的なソフトウェアを加えることにより構成できるため、空気調和機１のコストを低減できる。
【００６２】
（１−３）制御部５０は、第３風量自動モードから第２風量自動モードに変更する場合に所定値（上限値）を２段階で増大させる。この構成によれば、例えばユーザの就寝時に、まず室内ファン２２の送風音を低減することによりユーザの入眠の妨げになることを抑制した後に、室内温度ＤＡを目標温度ＤＧに近づけることにより快適性を向上させることができる。
【００６３】
（１−４）冷房運転時に室内温度ＤＡと目標温度ＤＧに基づいて、室内ファン２２の吹出風量を制御する第１風量自動モード及び第２風量自動モードにおいて室内温度ＤＡが低下するとサーモオフ状態（圧縮機１１が停止する状態）になる空気調和機１の構成では、次の効果が得られる。すなわち、おやすみ冷房運転時及びおやすみ暖房運転時の第２風量自動モードにおける第２風量パターンの最小風量（Ｓタップ）及び第３風量自動モードにおける第３風量パターンの最小風量（Ｓタップ）をそれぞれ、第１風量パターンの最小風量（Ｌタップ）よりも小さくすることによって、第２風量自動モード及び第３風量自動モードでサーモオフ状態になりにくくしている。これにより、第１風量パターンの最小風量（Ｌタップ）よりも小さい最小風量（Ｓタップ）でのサーモオン状態をより長く維持することができるため、快適性が向上する。
【００６４】
（１−５）おやすみ冷房運転時及びおやすみ暖房運転時の第２風量自動モードにおいてサーモオフしにくくすることによって、最小風量（Ｓタップ）で室内ファン２２の送風を維持している期間は、室内温度ＤＡの変化を少なくすることができるとともに室内ファン２２の送風音を一定にすることができる。
【００６５】
（１−６）おやすみ冷房運転時及びおやすみ暖房運転時の第２風量自動モードの最大風量（Ｍタップ）を通常冷房運転時及び通常暖房運転時の第１風量自動モードの最大風量（ＭＨタップ）よりも低風量とすることにより、第２風量自動モードにおいて最大風量が必要な場合でも室内ファン２２の送風音を低減することができる。
【００６６】
（１−７）制御部５０は、第３風量自動モードの第２期間Ｔ２における室内ファン２２の吹出風量の上限値を第１期間Ｔ１における室内ファン２２の吹出風量の上限値よりも１段階のみ増大させる。これにより、第２期間Ｔ２において室内ファン２２の送風音が急激に増加することにより、ユーザに不快感を与えることを抑制できる。
【００６７】
（第２実施形態）
図１１〜図１４を参照して、第２実施形態の空気調和機１について説明する。本実施形態の空気調和機１は、第１実施形態の空気調和機１と比較して、おやすみ冷房運転開始時及びおやすみ暖房運転開始時の第３風量自動モードの制御内容が異なる。以下の説明において、第１実施形態の空気調和機１の構成要素と同じ構成要素には同じ符号を付し、その説明を省略する。
【００６８】
まず、本実施形態に係るおやすみ冷房運転開始時の第３風量自動モードについて説明する。
制御部５０は、おやすみ冷房運転開始時の第３風量自動モードにおいて、図１１及び図１２に示すような第３風量パターン及び第４風量パターンを用いて、室内ファン２２の吹出風量を設定する。制御部５０は、第３風量自動モードにおいて、おやすみ冷房運転の開始から第１基準時刻ｔ１までの第１期間Ｔ１では図１１に示す第３風量パターンを使用して室内ファン２２の吹出風量を制御し、第１基準時刻ｔ１から第２基準時刻ｔ２までの第２期間Ｔ２では図１２に示す第４風量パターンを使用して室内ファン２２の吹出風量を制御する。
【００６９】
図１１に示すように、おやすみ冷房運転開始時の第３風量自動モードの第３風量パターンは、第１期間Ｔ１における温度差Δｔの下降時において、Ｌタップ、Ｓタップの順に室内ファン２２の吹出風量が少なくなる。一方、おやすみ冷房運転開始時の第３風量パターンは、第１期間Ｔ１における温度差Δｔの上昇時において、Ｓタップ、Ｌタップの順に室内ファン２２の吹出風量が多くなる。詳述すると、おやすみ冷房運転開始時の第３風量パターンは、第１期間Ｔ１における温度差Δｔの下降時において、温度差ゾーンＪ，Ｉ，Ｈ，Ｇ，Ｆ，Ｅ，ＤではＬタップになり、温度差ゾーンＣ，Ｂ，ＡではＳタップになり、温度差ゾーンＡではサーモオフ状態が優先される。また、おやすみ冷房運転開始時の第３風量パターンは、第１期間Ｔ１における温度差Δｔの上昇時において、温度差ゾーンＪ，Ｉ，Ｈ，Ｇ，Ｆ，ＥではＬタップになり、温度差ゾーンＤ，Ｃ，Ｂ，ＡではＳタップになり、温度差ゾーンＡではサーモオフ状態が優先される。このように、おやすみ冷房運転開始時の第３風量パターンは、おやすみ冷房運転開始から一定期間経過後の第２風量自動モードに使用される第２風量パターン（図５参照）に示す室内ファン２２の吹出風量よりも低風量となるパターンを含む。
【００７０】
次に、図１２に示すように、おやすみ冷房運転開始時の第３風量自動モードの第４風量パターンは、第２期間Ｔ２における温度差Δｔの下降時において、ＭＬタップ、Ｌタップ、Ｓタップの順に室内ファン２２の吹出風量が少なくなる。一方、第３風量自動モードの第４風量パターンは、第２期間Ｔ２における温度差Δｔの上昇時において、Ｓタップ、Ｌタップ、ＭＬタップの順に室内ファン２２の吹出風量が多くなる。詳述すると、おやすみ冷房運転開始時の第４風量パターンは、第２期間Ｔ２における温度差Δｔの下降時において、温度差ゾーンＪ，Ｉ，Ｈ，Ｇ，ＦではＭＬタップになり、温度差ゾーンＥ，ＤではＬタップになり、温度差ゾーンＣ，Ｂ，ＡではＳタップになり、温度差ゾーンＡではサーモオフ状態が優先される。また、おやすみ冷房運転開始時の第４風量パターンは、第２期間Ｔ２における温度差Δｔの上昇時において、温度差ゾーンＪ，Ｉ，Ｈ，ＧではＭＬタップになり、温度差ゾーンＦ，ＥではＬタップになり、温度差ゾーンＤ，Ｃ，Ｂ，ＡではＳタップになり、温度差ゾーンＡではサーモオフ状態が優先される。このように、おやすみ冷房運転開始時の第４風量パターンは、おやすみ冷房運転開始時の第３風量パターン（図１１参照）に示す室内ファン２２の吹出風量よりも高風量となるパターンを含む。一方、おやすみ冷房運転開始時の第４風量パターンは、おやすみ冷房運転開始から一定期間経過後の第２風量パターン（図５参照）に示す室内ファン２２の吹出風量よりも低風量となるパターンを含む。
【００７１】
次に、本実施形態に係るおやすみ暖房運転開始時の第３風量自動モードについて説明する。
制御部５０は、おやすみ暖房運転開始時の第３風量自動モードにおいて、図１３及び図１４に示すような第３風量パターン及び第４風量パターンを用いて、室内ファン２２の吹出風量を設定する。制御部５０は、第３風量自動モードにおいて、おやすみ暖房運転の開始から第１基準時刻ｔ１までの第１期間Ｔ１では図１３に示す第３風量パターンを使用して室内ファン２２の吹出風量を制御し、第１基準時刻ｔ１から第２基準時刻ｔ２までの第２期間Ｔ２では図１４に示す第４風量パターンを使用して室内ファン２２の吹出風量を制御する。
【００７２】
図１３に示すように、おやすみ暖房運転開始時の第３風量自動モードの第３風量パターンは、例えば、室内熱交換器温度ゾーンの中央であるゾーンＩＶにおいて、第１期間Ｔ１における温度差Δｔの上昇時において、Ｌタップ、Ｓタップの順に室内ファン２２の吹出風量が少なくなる。一方、おやすみ暖房運転時の第３風量自動モードの第３風量パターンは、第１期間Ｔ１における温度差Δｔの下降時において、Ｓタップ、Ｌタップの順に室内ファン２２の吹出風量が多くなる。詳述すると、おやすみ暖房運転開始時の第３風量パターンは、第１期間Ｔ１における温度差Δｔの上昇時及び下降時において、温度差ゾーンＬ，Ｋ，Ｊ，Ｉ，Ｈ，Ｇ，Ｆ，Ｅ，ＤではＬタップになり、温度差ゾーンＣ，Ｂ，ＡではＳタップになり、温度差ゾーンＡではサーモオフ状態が優先される。このように、おやすみ暖房運転開始時の第３風量パターンは、おやすみ暖房運転開始から一定期間経過後の第２風量自動モードに使用される第２風量パターン（図８参照）に示す室内ファン２２の吹出風量よりも低風量となるパターンを含む。
【００７３】
次に、図１４に示すように、おやすみ暖房運転開始時の第３風量自動モードの第４風量パターンは、例えば、室内熱交換器温度ゾーンの中央であるゾーンＩＶにおいて、第２期間Ｔ２における温度差Δｔの上昇時において、ＭＬタップ、Ｌタップ、Ｓタップの順に室内ファン２２の吹出風量が少なくなる。一方、おやすみ暖房運転開始時の第３風量自動モードの第４風量パターンは、ゾーンＩＶにおいて、第２期間Ｔ２における温度差Δｔの下降時において、Ｓタップ、Ｌタップ、ＭＬタップの順に室内ファン２２の吹出風量が多くなる。詳述すると、おやすみ暖房運転開始時の第４風量パターンは、第２期間Ｔ２における温度差Δｔの上昇時及び下降時において、温度差ゾーンＬ，Ｋ，Ｊ，Ｉ，Ｈ，Ｇ，Ｆ，ＥではＭＬタップになり、温度差ゾーンＤではＬタップになり、温度差ゾーンＣ，Ｂ，ＡではＳタップになり、温度差ゾーンＡではサーモオフ状態が優先される。このように、おやすみ暖房運転開始時の第４風量パターンは、おやすみ暖房運転開始時の第３風量パターンに示す室内ファン２２の吹出風量（図１３参照）よりも高風量となるパターンを含む。一方、おやすみ暖房運転開始時の第４風量パターンは、おやすみ暖房運転開始から一定期間経過後の第２風量パターンに示す室内ファン２２の吹出風量（図８参照）よりも低風量となるパターンを含む。
【００７４】
本実施形態によれば、第１実施形態の（１−１）、及び（１−５）〜（１−７）と同様の効果に加え、以下の効果が得られる。
（２−１）第３風量自動モードは、室内温度ＤＡと目標温度ＤＧとに基づく室内ファン２２の吹出風量を、第２風量パターンよりも低風量の第３風量パターン及び第４風量パターンで制御するものである。この構成によれば、おやすみ運転開始から一定期間は、室内ファン２２の送風音の低減に特化した運転となるため、空気調和機１の静粛性を好適に高めることができる。
【００７５】
（変形例）
上記各実施形態に関する説明は、本発明に従う空気調和機が取り得る形態の例示であり、その形態を制限することを意図していない。本発明に従う空気調和機は、上記各実施形態以外に例えば以下に示される変形例、及び相互に矛盾しない少なくとも２つの変形例が組み合せられた形態を取り得る。
【００７６】
・各実施形態において、第２風量自動モードは、おやすみ冷房運転及びおやすみ暖房運転に限られず、おやすみ除湿冷房運転、おやすみ加湿暖房運転等の他の運転時において第２風量自動モードとしてもよい。この場合、おやすみ除湿冷房運転、おやすみ加湿暖房運転等の他の運転の開始から一定期間は、第３風量自動モードを実行してもよい。
【００７７】
・各実施形態のおやすみ冷房運転開始から一定期間経過後の第２風量自動モードにおいて、第１風量パターンよりも低風量の第２風量パターンは、複数の温度差ゾーンＡ〜Ｊにおけるタップのうちの少なくとも一部が第１風量パターンよりも低風量であればよい。またおやすみ暖房運転開始から一定期間経過後の第２風量自動モードにおいて、第１風量パターンよりも低風量の第２風量パターンは、複数の温度差ゾーンＡ〜Ｌにおけるタップのうちの少なくとも一部が第１風量パターンよりも低風量であればよい。
【００７８】
・各実施形態のおやすみ冷房運転開始時及びおやすみ暖房運転開始時の第３風量自動モードにおいて、制御部５０は、第３風量自動モードから第２風量自動モードに変更する場合に室内ファン２２の吹出風量の上限値（所定値）を１段階で増大させてもよい。この場合、第２実施形態のおやすみ冷房運転開始時の第３風量自動モードでは、図１１の第３風量パターン及び図１２の第４風量パターンのいずれかの風量パターンが省略される。第２実施形態のおやすみ暖房運転開始時の第３風量自動モードでは、図１３の第３風量パターン及び図１４の第４風量パターンのいずれかの風量パターンが省略される。またこの場合、第３風量自動モードを実行する期間は、第１期間Ｔ１のみであっても、第１期間Ｔ１及び第２期間Ｔ２であってもよい。
【００７９】
・各実施形態のおやすみ冷房運転開始時及びおやすみ暖房運転開始時の第３風量自動モードにおいて、制御部５０は、第３風量自動モードから第２風量自動モードに変更する場合に室内ファン２２の吹出風量の上限値（所定値）を３段階以上で増大させてもよい。第２実施形態では、制御部５０は、おやすみ運転開始時の第３風量自動モードにおいて３つ以上の風量パターンを有してもよい。
【００８０】
・第１実施形態のおやすみ冷房運転開始時及びおやすみ暖房運転開始時の第３風量自動モードの第１期間Ｔ１における室内ファン２２の吹出風量の上限値は、おやすみ冷房運転開始から一定期間経過後及びおやすみ暖房運転開始から一定期間経過後の第２風量自動モードの最大風量（Ｍタップ）よりも低風量の範囲内において任意に変更可能である。例えば、おやすみ冷房運転開始時及びおやすみ暖房運転開始時の第３風量自動モードの第１期間Ｔ１における室内ファン２２の吹出風量の上限値は、ＭＬタップであってもよい。この場合、第３風量自動モードから第２風量自動モードに切り換わるときに上限値（室内ファン２２の吹出風量の所定値）を１段階で増大させる。
【００８１】
・各実施形態の第１風量パターン、第２風量パターン、第３風量パターン、及び第４風量パターンは、階段状に設定された複数のタップを用いたが、これに限られず、所定の条件に基づいて連続的に室内ファン２２の吹出風量が変化する風量パターンであってもよい。
【００８２】
・第２実施形態のおやすみ冷房運転開始時の第３風量自動モードにおいて、おやすみ冷房運転開始から一定期間経過後の第２風量パターンよりも低風量の第３風量パターン及び第４風量パターンは、複数の温度差ゾーンＡ〜Ｊにおけるタップのうちの少なくとも一部が、おやすみ冷房運転開始から一定期間経過後の第２風量パターンよりも低風量であればよい。またおやすみ暖房運転開始時の第３風量自動モードにおいて、おやすみ暖房運転開始から一定期間経過後の第２風量パターンよりも低風量の第３風量パターン及び第４風量パターンは、複数の温度差ゾーンＡ〜Ｌにおけるタップのうちの少なくとも一部が、おやすみ暖房運転開始から一定期間経過後の第２風量パターンよりも低風量であればよい。
【００８３】
・各実施形態において、室外熱交換器１３は、冷媒配管３０で互いに接続された補助熱交換器及び主熱交換器を有してもよい。室外熱交換器１３は、例えば除湿運転を行う場合、補助熱交換器の一部のみが蒸発域となり、残りの領域が過熱域となるとともに主熱交換器が過熱域となるように構成される。
【符号の説明】
【００８４】
１    空気調和機
２２  室内ファン
５０  制御部
ＤＡ  室内温度
ＤＧ  目標温度
Δｔ  室内温度と目標温度との温度差
【図１】
2019105413.tif 000009
【図２】
2019105413.tif 000010
【図３】
2019105413.tif 000011
【図４】
2019105413.tif 000012
【図５】
2019105413.tif 000013
【図６】
2019105413.tif 000014
【図７】
2019105413.tif 000015
【図８】
2019105413.tif 000016
【図９】
2019105413.tif 000017
【図１０】
2019105413.tif 000018
【図１１】
2019105413.tif 000019
【図１２】
2019105413.tif 000020
【図１３】
2019105413.tif 000021
【図１４】
2019105413.tif 000022